(57)【要約】【課題】小型化を図ることのできるディスク装置を提供すること。【解決手段】レンズ部１０での撮影に基づく情報をディスク２に記録する光ヘッド３１の、ディスク２の径方向における移動方向を、対物レンズ部１１の中心軸方向に対して斜め方向に移動させる。これにより、主撮影方向における光ヘッド３１の移動量を小さくすることができる。これにより、本体部２０の主撮影方向、つまり、本体部２０の長さ方向の長さを短くすることができる。この結果、ディスク装置の一例となるカムコーダ１の小型化を図ることができる。【選択図】        図１
2006186861.tif 000002
【特許請求の範囲】
【請求項１】
対物レンズを有する撮影手段と、
前記撮影手段が設けられた本体部と、
前記本体部内に位置し、且つ、ディスクを着脱可能に形成されると共に、前記ディスクを回転可能に形成されたディスク装着部と、
少なくとも前記撮影手段での撮影に基づく情報を前記ディスクへ記録することが可能な情報伝達手段と、
前記情報伝達手段を、前記ディスクが前記ディスク装着部に装着された際の前記ディスクの径方向と平行な方向で、且つ、前記対物レンズの中心軸に対して斜め方向に移動させる移動手段と、
を具備することを特徴とするディスク装置。
【請求項２】
前記ディスク装着部は、前記ディスクの回転軸が前記本体部の幅方向に形成されていることを特徴とする請求項１に記載のディスク装置。
【請求項３】
前記本体部には、開閉機構によって開閉可能に形成されたカバー部が設けられており、
前記情報伝達手段は、前記開閉機構の開閉軸に対して斜め方向に移動可能に形成されていることを特徴とする請求項１または２に記載のディスク装置。
【請求項４】
対物レンズを有する撮影手段と、
ディスクを着脱可能に形成されると共に、前記ディスクを回転可能に形成されたディスク装着部と、
前記撮影手段が設けられ、且つ、前記ディスク装着部を内設する本体部と、
前記本体部に設けられると共に、仮想の軸となる開閉軸を有する開閉機構によって開閉可能に形成されたカバー部と、
少なくとも前記撮影手段での撮影に基づく情報を前記ディスクへ記録することが可能な情報伝達手段と、
前記情報伝達手段を、前記ディスクが前記ディスク装着部に装着された際の前記ディスクの径方向と平行な方向で、且つ、前記カバー部を開閉する際の仮想の軸となる開閉軸に対して斜め方向に移動させる移動手段と、
を具備することを特徴とするディスク装置。
【請求項５】
前記情報伝達手段は、前記ディスク装着部と前記開閉軸との間に位置していることを特徴とする請求項３または４に記載のディスク装置。
【請求項６】
前記情報伝達手段は、前記開閉軸と平行で、且つ、前記ディスクの回転中心を通る仮想の線である中央線よりも前記開閉軸側が位置している側の反対側に位置していることを特徴とする請求項３または４に記載のディスク装置。
【請求項７】
前記情報伝達手段は、前記カバー部を開いた際には、前記ディスクの径方向の外方に位置することを特徴とする請求項５または６に記載のディスク装置。
【請求項８】
前記情報伝達手段は、前記カバー部を開いた際には、前記ディスクの径方向の内方に位置することを特徴とする請求項５または６に記載のディスク装置。
【発明の詳細な説明】
【技術分野】
【０００１】
本発明は、撮影した情報をディスクに記録可能なディスク装置に関するものである。
【背景技術】
【０００２】
近年、小型化や使用時の利便性等により、光ディスクなどのディスクを用いて音声や画像を記録する場合が多いが、ディスクに音声や画像を記録する装置として、撮像手段が設けられたディスク装置がある。このような従来の撮影した情報をディスクに記録可能なディスク装置では、ディスクが水平に設けられているため、使用時の振動によるディスクの面ぶれ方向とディスクへの記録や再生時のフォーカス方向が同一方向になり、振動時にデフォーカス量が大きくなり、撮影した情報が記録できなくなる虞があった。そこで、従来のディスク装置では、上記のようなディスクの面ぶれ方向とディスクへの記録等のフォーカス方向とを異ならせているものがある。例えば、特許文献１では、ディスクが垂直方向に配置されるように形成されている。これにより、ディスクへの記録等のフォーカス方向が、当該ディスク装置の振動方向と直交するので、ディスクに記録等を行う際に振動が生じても、より確実に記録等を行うことができる。
【０００３】
【特許文献１】特開平０８−２７９９７７号公報
【発明の開示】
【発明が解決しようとする課題】
【０００４】
しかしながら、上記のディスク装置では、ディスクへの記録再生用の光ヘッドが地面に対して水平方向に移動するように形成されている。また、この光ヘッドは、所定の大きさを有しているため、ディスク面の最外周の位置に情報を記録、或いは最外周の位置に記録されている情報を再生する場合、ディスクの外周部分よりもディスクの径方向における外方部分にまで光ヘッドの一部が位置することになる。これらにより、光ヘッドがディスクの径方向における最外方に位置した場合には、光ヘッドの一部はディスクの外径より径方向外方に位置することになるので、これらを収める筐体は、この位置に位置する光ヘッドも収める大きさが必要になる。このため筐体、或いはディスク装置の本体部は、光ヘッドの移動方向に大きくなってしまい、小型化が困難なものとなっていた。
【０００５】
そこで、本発明は、上述した課題をその一例として解決するものであって、小型化を図ることのできるディスク装置を提供することを目的とする。
【課題を解決するための手段】
【０００６】
請求項１に記載の発明は、対物レンズを有する撮影手段と、前記撮影手段が設けられた本体部と、前記本体部内に位置し、且つ、ディスクを着脱可能に形成されると共に、前記ディスクを回転可能に形成されたディスク装着部と、少なくとも前記撮影手段での撮影に基づく情報を前記ディスクへ記録することが可能な情報伝達手段と、前記情報伝達手段を、前記ディスクが前記ディスク装着部に装着された際の前記ディスクの径方向と平行な方向で、且つ、前記対物レンズの中心軸に対して斜め方向に移動させる移動手段と、を具備することを特徴とする。
【０００７】
また、請求項４に記載の発明は、対物レンズを有する撮影手段と、ディスクを着脱可能に形成されると共に、前記ディスクを回転可能に形成されたディスク装着部と、前記撮影手段が設けられ、且つ、前記ディスク装着部を内設する本体部と、前記本体部に設けられると共に、仮想の軸となる開閉軸を有する開閉機構によって開閉可能に形成されたカバー部と、少なくとも前記撮影手段での撮影に基づく情報を前記ディスクへ記録することが可能な情報伝達手段と、前記情報伝達手段を、前記ディスクが前記ディスク装着部に装着された際の前記ディスクの径方向と平行な方向で、且つ、前記カバー部を開閉する際の仮想の軸となる開閉軸に対して斜め方向に移動させる移動手段と、を具備することを特徴とする。
【発明を実施するための最良の形態】
【０００８】
以下に、本発明にかかるディスク装置の実施の形態を図面に基づいて詳細に説明する。なお、この実施の形態によりこの発明が限定されるものではない。また、以下に説明する実施の形態における構成要素には、当業者が容易に想定できるもの、或いは実質的に同一のものが含まれる。また、以下の説明では、本発明に係るディスク装置の一例として、カムコーダを説明している。また、本発明が適用できるディスク装置で使用するディスクは、光ディスク、磁気ディスク、光磁気ディスクなどが考えられるが、以下の説明では一例として、光ディスク用のディスク装置を説明する。
【０００９】
（実施の形態）
図１は、実施の形態に係るカムコーダの構成概略図である。本発明の一例として同図に示すカムコーダ１は、対物レンズ１１に入光した光学像を、ＣＣＤ（光電変換素子）４及び映像回路５で電気的な映像信号に変換される。変換された映像信号は、記録再生回路６によって記録用の記録信号に変換され、この記録信号が撮影した映像の情報として、情報伝達手段となる光ヘッド３１によってディスク２に記録される。前記ディスク２は、ディスク装着部５０に着脱可能に装着され、ディスク装着部５０はスピンドルモータ５１によって回転可能に形成されている。また、光ヘッド３１は、ディスク２の径方向に移動可能に形成されており、移動手段となるステッピングモータ４０とスクリューガイドシャフト４１とガイドシャフト４２とによって、光ヘッド３１はディスク２の径方向に移動することができる。これらにより、前記光ヘッド３１で前記記録信号を当該ディスク２に記録する際には、ディスク２が回転すると共に光ヘッド３１が径方向に移動しながら記録される。同様に、再生時にディスク２に記録されている情報を読み取る際にも、ディスク２が回転すると共に光ヘッド３１が径方向に移動しながら情報を読み取る。また、ディスク２の回転や光ヘッド３１の移動、さらに、光ヘッド３１での情報の記録や読み取りは、制御回路７によって制御される。
【００１０】
図２は、図１に示したカムコーダの側面図である。図３は、図１に示したカムコーダの斜視図である。前記対物レンズ１１は撮影手段の一部として設けられており、この対物レンズ１１を有するレンズ部１０は、撮影手段として設けられている。このレンズ部１０は、当該カムコーダ１の本体となる本体部２０に設けられており、カムコーダ１を構成する上記の各部品は、全てこの本体部２０に内設されている。前記レンズ部１０は、略円筒形の形状で形成されたレンズ筐体１２の内側に、前記対物レンズ１１が設けられることにより構成されている。レンズ部１０が本体部２０に対して形成されている向きは、対物レンズ１１に中心軸が、当該カムコーダ１の使用時において略水平方向、即ち、地面と略平行な方向となる向きで形成されている。この中心軸１３は、前記レンズ筐体１２の形状である中心線と重なっており、また、この中心軸１３の方向は、当該カムコーダ１、或いはレンズ部１０での主撮影方向となる。また、本体部２０は、略直方体の形状で形成されており、この本体部２０にはカバー部２１が設けられている。このカバー部２１は、開閉機構となるヒンジ２２を介して開閉可能に形成されており、このヒンジ２２は当該カムコーダ１の使用時において垂直方向にカバー部２１の開閉の仮想の軸となる開閉軸２３を有している。つまり、開閉軸２３は、ディスク装着部５０に装着された前記ディスクの径方向と平行な方向に形成されている。このためカバー部２１は、開閉軸２３が開閉の中心の軸となる方向で開閉し、当該カムコーダ１を上方から見た場合に側方に開閉する方向に開閉する。
【００１１】
図４は、図２に示したカムコーダのカバー部を開いた状態を示す図である。図５は、図４のＡ−Ａ断面図である。図６は、図４の斜視図である。前記カバー部２１を開くと、内部には前記ディスク装着部５０や前記光ヘッド３１などが一体に設けられえたトラバースメカ３０が位置している。つまり、前記カバー部２１は、トラバースメカ３０などを内設したケース６０に対して開閉可能に設けられている。このケース６０内に位置するトラバースメカ３０は、複数設けられたフロートゴム６１を介してケース６０に取り付けられている。また、トラバースメカ３０は、一部がケースカバー６２に覆われており、トラバースメカ３０の一部がケースカバー６２から露出している。
【００１２】
前記ディスク装着部５０は、高さの低い略円柱形の形状で形成されており、円柱形の中心線が、当該カムコーダ１の使用時において水平方向になる方向、或いは前記対物レンズ１１の中心軸１３の形成方向及び前記開閉軸２３の形成方向と直交する方向に設けられている。つまり、前記ディスク装着部５０の円柱形の中心線は、前記本体部２０の幅方向に形成されている。なお、本体部２０の幅方向とは、ディスク装着部５０に前記ディスク２が装着された際の、当該ディスク２の厚さ方向と平行な方向をいう。また、当該カムコーダ１の使用時における本体部の幅方向は、略水平方向となるように形成されている。ディスク装着部５０は、この円柱形の中心軸を中心として、前記スピンドルモータ５１によって回転可能に形成されており、この中心軸が、ディスク２の回転方向の仮想の軸となる回転軸５２として形成される。即ち、ディスク装着部５０は、回転軸５２の形成方向が本体部２０の幅方向となる向きで形成されている。また、ディスク装着部５０には、円柱形の側面よりも突出した付勢部５３が複数設けられている。この付勢部５３は、円柱形の径方向に移動可能に形成されており、径方向外方に向かって付勢力を有するため、弾性力を有して設けられている。
【００１３】
前記光ヘッド３１は、前記ステッピングモータ４０などの移動手段によって移動可能に設けられている。光ヘッド３１が移動する方向は、前記ディスク装着部５０が回転をする仮想の回転面（図示省略）と平行、或いは、ディスク装着部５０に前記ディスク２を装着した際のディスク２の面と平行で、且つ、当該ディスク２の径方向に沿った方向に移動可能となっている。また、光ヘッド３１には、ディスク装着部５０に前記ディスク２を装着した際のディスク２に対向する面に、ピックアップ３２が設けられている。このピックアップ３２は、撮影した画像の情報をディスク２に記録、または、ディスク２に記録されている情報を読み取る際に使用される。
【００１４】
前記光ヘッド３１は、このピックアップ３２が前記ディスク２の径方向の外周部３付近と中心付近との間を移動できるように設けられており、且つ、ピックアップ３２が、前記ヒンジ２２の開閉軸２３に対して斜め方向に移動するように設けられている。つまり、光ヘッド３１は、対物レンズ１１の中心軸１３の方向に対して斜め方向に移動するように設けられている。さらに、光ヘッド３１は、前記開閉軸２３と平行で、且つ、前記ディスク２の回転中心、即ち、前記ディスク装着部５０の回転中心５４を通る仮想の線である中央線５５よりも、開閉軸２３側に位置しており、この位置で、前記のように開閉軸２３に対して斜め方向に移動するように形成されている。つまり、光ヘッド３１は、ディスク装着部５０と回転軸５２との間に位置している。また、前記の斜めの方向は、前記ピックアップ３２がディスク２の径方向の中心付近から外周部３方向に向かうに従って当該カムコーダ１の使用時の状態における下方に向かう斜め方向、或いはディスク２の径方向の外周部３付近から中心付近の方向に向かうに従って上方に向かう斜め方向に移動するように形成されている。換言すると、前記ケース６０はディスク装着部５０の回転軸５２の方向、即ち、水平方向に見た場合には、略矩形の形状で形成されているが、光ヘッド３１は、ピックアップ３２が矩形の対角線にほぼ沿った方向に移動するように形成されている。前記トラバースメカ３０には、このように移動可能に設けられた光ヘッド３１のピックアップ３２周辺がディスク２に対面できるように、光ヘッド３１が移動する範囲に開口部３５を有している。
【００１５】
なお、好ましくは、前記ディスク装着部５０の回転中心５４及び光ヘッド３１に設けられた前記ピックアップ３２が、共に略矩形の形状で形成されたケース６０の対角線上に位置し、光ヘッド３１は、ピックアップ３２が対角線に沿った方向に移動するように形成されているのがよい。或いは、ディスク装着部５０の回転中心５４が、前記対角線上に位置していない場合には、光ヘッド３１は、ディスク装着部５０の回転中心５４と略矩形の形状で形成されたケース６０の角部とを結ぶ線上を、ピックアップ３２が移動するように形成するのが、より好ましい。即ち、いずれの場合においても、光ヘッド３１は、ディスク装着部５０の回転中心５４とケース６０の角部６３とを結ぶ線上をピックアップ３２が移動するように形成されるのが好ましい。
【００１６】
図７は、図４の状態からカバー部及びケースカバーを取り除いた状態を示す図である。前記光ヘッド３１は、前記スクリューガイドシャフト４１と前記ガイドシャフト４２との間に位置している。このスクリューガイドシャフト４１とガイドシャフト４２とは、ほぼ平行に形成されている。このスクリューガイドシャフト４１とガイドシャフト４２とは、詳細には、共に前記ディスク装着部５０にディスク２を装着した際のディスク２の面と平行で、且つ、前記開閉軸２３から離れるに従って当該カムコーダ１の使用時の状態における上方に向かう斜め方向に形成されている。つまり、スクリューガイドシャフト４１とガイドシャフト４２とは、上述した光ヘッド３１の移動方向と同じ方向の斜め方向に形成されている。前記光ヘッド３１、前記ディスク装着部５０及び前記スピンドルモータ５１は、この向きで形成されるスクリューガイドシャフト４１とガイドシャフト４２との間に形成されている。
【００１７】
また、スクリューガイドシャフト４１には螺溝が形成されており、前記ステッピングモータ４０は、このスクリューガイドシャフト４１の端部に位置してスクリューガイドシャフト４１を回転可能に設けられている。また、ガイドシャフト４２は、丸棒の形状で形成されている。前記光ヘッド３１には、スクリューガイドシャフト４１と螺合する螺合部３３と、ガイドシャフト４２の丸棒の径よりも若干大きい径の孔（図示省略）が設けられたガイド部３４とが設けられている。この螺合部３３は、スクリューガイドシャフト４１と螺合しており、ガイド部３４の孔には、ガイドシャフト４２が通っている。
【００１８】
また、スクリューガイドシャフト４１は、前記ステッピングモータ４０によって回転し、光ヘッド３１は、螺合部３３がスクリューガイドシャフト４１と螺合し、ガイド部３４が上記の孔にガイドシャフト４２を通している。このため、スクリューガイドシャフト４１がステッピングモータ４０によって回転することにより、光ヘッド３１は、上述した斜め方向に移動する。即ち、ステッピングモータ４０、スクリューガイドシャフト４１及びガイドシャフト４２は光ヘッド３１を移動させ、これらのステッピングモータ４０、スクリューガイドシャフト４１及びガイドシャフト４２は、光ヘッド３１の移動手段として形成されている。
【００１９】
また、前記ケース６０は、上述したように略矩形の形状で形成されているが、光ヘッド３１は、前記ケース６０の矩形の辺のうち、光ヘッド３１が前記ディスク２の径方向外方に位置した際に隣接する２つの辺に対向する部分が、当該２つの辺とほぼ平行に形成されている。つまり、光ヘッド３１は、ケースの形状である矩形の４つの辺のうち、下方に位置する辺６４と、この辺６４に接続されて前記開閉軸２３が位置している側の辺６５とのそれぞれに対向する部分が、それぞれの辺６４、６５とほぼ平行になるように形成されている。
【００２０】
図８は、ディスクを装着した状態を示す図である。この実施の形態に係るカムコーダ１は、以上のごとき構成からなり、以下、その作用について説明する。前記カムコーダ１は、ディスク２をディスク装着部５０に着脱する際、即ち、カバー部２１を開いた際には、前記光ヘッド３１は、前記ステッピングモータ４０などの移動手段によって、当該移動手段での光ヘッド３１の移動方向において、前記ディスク装着部５０に装着されたディスク２の径方向の外方に移動する（図８参照）。ディスク２を装着後カバー部２１を閉じ、当該カムコーダ１で被写体を撮影すると、対物レンズ１１に入った光学像は前記ＣＣＤ４や映像回路５などによって電気的な信号に変換され、この信号が撮影した映像の情報として光ヘッド３１のピックアップ３２でディスク２に伝達され、ディスク２に記録される。
【００２１】
その際に、ディスク装着部５０は前記スピンドルモータ５１によって回転し、光ヘッド３１は前記ステッピングモータ４０が作動して光ヘッド３１と螺合しているスクリューガイドシャフト４１が回転し、光ヘッド３１は移動方向における任意の位置に移動する。これにより、前記ディスク２が周方向に回転すると共にピックアップ３２が設けられたディスク２の径方向に沿って光ヘッド３１が移動するので、前記の撮影した映像に基づく情報は、ディスク装着部５０に装着したディスク２の任意の位置に記録される。同様に、ディスク２に記録されている情報を再生する場合にも、ディスク２が周方向に回転する共に光ヘッド３１がディスク２の径方向に沿った方向に移動することにより、ディスク２の任意の位置に記録された情報を、光ヘッド３１のピックアップ３２で読み取り、前記記録再生回路６を通じて再生することができる。
【００２２】
以上のカムコーダ１は、光ヘッド３１が、カムコーダ１の使用時の状態における水平方向及び上下方向に同時に移動する斜め方向に移動するように形成されているため、カムコーダ１の奥行き方向、或いは、カムコーダ１の長さ方向の長さを短くすることができる。つまり、カムコーダ１の使用時において略水平方向となる対物レンズ１１の中心軸１３の方向、或いは、レンズ部１０での主撮影方向に対して、光ヘッド３１の移動方向を斜め方向にすることにより、ディスク２の径方向における光ヘッド３１の移動量は変化させずに、前記中心軸１３方向の移動量のみを小さくすることができる。これにより、当該中心軸１３方向の長さ、即ち、カムコーダ１の長さ方向の長さを短くすることができる。この結果、カムコーダ１の小型化を図ることができる。
【００２３】
また、光ヘッド３１には、ディスク２に情報を記録する、或いはディスク２に記録された情報を読み取るピックアップ３２が設けられているが、光ヘッド３１は、ピックアップ３２の位置よりもディスク２の径方向における外方の方向にまで形成されている。これにより、ディスク２の外周部３付近に情報を記録する際などにピックアップ３２がディスク２の外周部３付近に位置するように光ヘッド３１が移動した場合、光ヘッド３１はディスク２の外周部３よりも径方向外方に突出する。このため、この光ヘッド３１を内設する前記ケース６０は、この状態における光ヘッド３１も内設できるように光ヘッド３１の移動方向の大きさは、ディスク２の外周部３が位置する部分よりも大幅に大きくしなければならないが、光ヘッド３１がカムコーダ１の長さ方向に移動する場合には、ケース６０がこの長さ方向に長くなってしまう。
【００２４】
これに対し、本発明に係る前記カムコーダ１では、光ヘッド３１が斜め方向に移動することにより、光ヘッド３１のピックアップ３２よりもディスク２の径方向における外方部分を、ディスク装着部５０の装着されたディスク２の外周部３が位置する部分と前記ケース６０との間に位置させることができる。つまり、ディスク２は円形で、ケース６０は略矩形の形状で形成されているためディスク２をディスク装着部５０に装着した状態では、ディスク２とケース６０との間にケース６０の角部６３付近が最大となる隙間ができる。光ヘッド３１の移動方向を斜め方向にすることにより、光ヘッド３１の、ピックアップ３２よりも外方部分をこの隙間に位置させることができるので、ディスク２の外周より光ヘッド３１がディスク２の径方向の外方に突出する場合でも、ケース６０を小さくすることができる。この結果、より小型化を図ることができる。
【００２５】
また、ディスク装着部５０が、回転軸５２の形成方向が、本体部２０の幅方向となる向きで形成されているため、当該カムコーダ１の使用時において本体部２０は幅方向が略水平方向となる向きで形成されている。このため、カムコーダ１の使用時における水平方向の幅を狭くしつつ、対物レンズ１１の中心軸１３方向における長さを短くできる。この結果、より確実に小型化を図ることができる。
【００２６】
また、光ヘッド３１は、カバー部２１の開閉軸２３に対して斜め方向に移動可能に形成されているので、カバー部２１の開閉方向の長さ、即ち、開閉軸２３と直交する方向のカバー部２１の長さを短くすることができる。つまり、光ヘッド３１を、開閉軸２３に対して斜め方向に移動可能に形成することにより、開閉軸２３と直交する方向における光ヘッド３１の移動量を小さくすることができ、開閉軸２３と直交する方向における本体部２０の長さを短くすることができる。これにより、開閉軸２３と直交する方向のカバー部２１の長さを短くすることができる。このようにカバー部２１を短くすることにより、カバー部２１を開いた際のカムコーダ１全体の幅が狭くなるため、使用時の状態を小型化することができる。この結果、いずれの状態においても、小型化を図ることができる。
【００２７】
また、光ヘッド３１は、当該光ヘッド３１がディスク装着部５０に装着されたディスク２の径方向外方に位置した際に光ヘッド３１の近傍に位置するケース６０の辺６４、６５に対向する部分が、辺６４、６５とほぼ平行に形成されている。これにより、カムコーダ１の前記中心軸１３方向及び上下方向における光ヘッド３１の大きさが小さくなるので、光ヘッド３１をディスク２の径方向外方に位置させた場合の、当該中心軸１３方向における光ヘッド３１の、ディスク２の外周部３からの突出を低減できる。これにより、カムコーダ１の長さ方向の長さの本体部２０の長さを、より短くすることができる。この結果、より確実にカムコーダ１を小型化することができる。
【００２８】
また、光ヘッド３１が、ディスク装着部５０と開閉軸２３との間に位置しているため、ピックアップ３２の汚れを低減することができる。つまり、ピックアップ３２は、ディスク２に情報を記録する、或いは、ディスク２に記録された情報を読み取る部分であるため、この部分の汚れはできるだけ低減した方がよいが、カバー部２１を開くとピックアップ３２は露出するため砂埃や雨水などによって汚れ易くなる。そこで、上述したように、光ヘッド３１を、前記中央線５５よりも回転軸５２側に位置させることにより、光ヘッド３１はカバー部２１寄りに位置することになり、カバー部２１を開いた際でもカバー部２１によってピックアップ３２に砂埃などが付着することが抑制される。この結果、ピックアップ３２の汚れを低減でき、より確実にディスク２に情報を記録でき、或いはディスク２に記録された情報の読み取りができる。
【００２９】
また、カバー部２１を開いた際に光ヘッド３１をディスク２の径方向外方に移動させることにより、ピックアップ３２の汚れを、より確実に低減することができる。即ち、カバー部２１を開いた際に、光ヘッド３１を上記のように移動させることにより、カバー部２１を開いた際にピックアップ３２をカバー部２１の近傍に位置させることができる。これにより、ピックアップ３２への砂埃などの付着が、より確実に抑制される。この結果、より確実にピックアップ３２の汚れを低減でき、より確実にディスク２に情報を記録でき、或いはディスク２に記録された情報の読み取りができる。
【００３０】
図９は、光ヘッドが内側に移動した状態を示す図である。図１０は、図９のＢ−Ｂ断面図である。なお、上記光ヘッド３１は、カバー部２１を開いた際にディスク２の径方向外方に移動するように設けられているが、光ヘッド３１は、カバー部２１を開いた際に、ディスク２の径方向内方、つまり、ディスク装着部５０の回転中心５４方向に移動する。通常、ディスク２をディスク装着部５０に装着する際には、ディスク２の、前記開閉軸２３に近い部分が前記ケースカバー６２に近付くようにディスク２を傾けながら装着する場合が多い。同様に、ディスク装着部５０に装着されたディスク２を外す際には、ディスク２の、前記開閉軸２３から離れている部分がケースカバー６２から離れる方向にディスク２を傾ける場合が多い。いずれの場合においても、ディスク２をディスク装着部５０に着脱する場合には、ディスク２の、前記開閉軸２３に近い部分が前記ケースカバー６２に近付くように傾けられる場合が多い。このため、カバー部２１を開いた際に光ヘッド３１を、ディスク装着部５０の回転中心５４方向に移動させることにより、ピックアップ３２は開閉軸２３から離れるので、ディスク２の着脱時にディスク２がピックアップ３２に接触することを抑制できる。これにより、ディスク２がピックアップ３２に接触することによるピックアップ３２の汚れを抑制できる。この結果、より確実にディスク２に情報を記録でき、或いはディスク２に記録された情報の読み取りができる。
【００３１】
図１１及び図１２は、実施の形態に係るカムコーダの変形例を示す図である。また、光ヘッド３１は、前記中央線５５よりも前記開閉軸２３が位置している側の反対側に位置させてもよい。これにより、ピックアップ３２を、より開閉軸２３から離すことができるので、ディスク２がピックアップ３２に接触することによるピックアップ３２の汚れを、より確実に抑制できる。この結果、より確実にディスク２に情報を記録でき、或いはディスク２に記録された情報の読み取りができる。
【００３２】
また、このように光ヘッド３１を、前記中央線５５よりも前記開閉軸２３が位置している側の反対側に位置させた場合には、カバー部２１を開いた際に光ヘッド３１をディスク２の径方向外方に移動するように設けてもよく（図１１）、または、カバー部２１を開いた際に光ヘッド３１をディスク装着部５０の回転中心５４方向に移動するように設けてもよい（図１２）。ピックアップ３２は、カバー部２１を開いた際に開閉軸２３に近付けば近付くほど、カバー部２１によって砂埃などが遮られ、ピックアップ３２の汚れが低減される。また、カバー部２１を開いた際に、ピックアップ３２が開閉軸２３から離れれば離れるほど、ディスク装着部５０に対してディスク２を着脱する際に、ディスク２がピックアップ３２に接触し難くなる。このため、カバー部２１の大きさや開いた際の開度、ディスク２の大きさ、使用環境などを考慮して、光ヘッド３１を設ける位置や、カバー部２１を開いた際の光ヘッド３１の位置を決定することにより、より確実にピックアップ３２の汚れを低減できる。この結果、より確実にディスク２への情報の記録、或いはディスク２に記録された情報の読み取りができる。
【００３３】
また、実施の形態では、光ヘッド３１の移動手段としてステッピングモータ４０、スクリューガイドシャフト４１及びガイドシャフト４２を用いているが、情報伝達手段となる光ヘッド３１の移動手段は、これら以外のものでもよい。光ヘッド３１を任意の位置に移動させることにできるものであれば、移動手段はどのような構成でも構わない。
【００３４】
また、実施の形態では、ディスクの一例として光ディスクを説明しているが、ディスクは光ディスク以外に磁気ディスク、光磁気ディスクなど情報を記録でき、記録された情報を読み取ることのできるものであればどのようなディスクでもよく、ディスクの種類は問わない。また、実施の形態では、これらのディスクのうち、光ディスク用のディスク装置の一例となるカムコーダについて説明しているが、本発明は、前記のようなディスクの少なくともいずれかに少なくとも情報を記録できるディスク装置全般に適用できる。この場合、実施の形態では、情報伝達手段の一例として、光ディスクに情報を記録でき、記録された情報を読み取ることのできる光ヘッド３１を説明しているが、情報伝達手段は、ディスクの種類に応じたものでよい。
【００３５】
上述した説明で明らかなように、ディスク装置の一例であるカムコーダ１が、被写体を撮影する撮影手段となるレンズ部１０と、前記レンズ部１０が設けられた本体部２０と、前記本体部２０内に位置し、且つ、ディスク２を着脱可能に形成されると共に、前記ディスク２を回転可能に形成されたディスク装着部５０と、前記レンズ部１０での撮影に基づく情報の前記ディスク２への記録、或いは前記ディスク２に記録された情報の読み取りのうち、少なくとも前記レンズ部１０での撮影に基づく情報の前記ディスク２への記録が可能な情報伝達手段となる光ヘッド３１と、前記光ヘッド３１を、前記ディスク２が前記ディスク装着部５０に装着された際の前記ディスク２の径方向と平行な方向で、且つ、前記対物レンズ部１１の中心軸１３方向に対して斜め方向に移動させる移動手段となるステッピングモータ４０、スクリューガイドシャフト４１、ガイドシャフト４２と、を具備することにより、前記中心軸１３方向における光ヘッド３１の移動量を小さくすることができる。これにより、対物レンズ１１の中心軸１３の方向、つまり、本体部２０の長さ方向の長さを短くすることができる。この結果、カムコーダ１の小型化を図ることができる。
【００３６】
また、ディスク装置の一例であるカムコーダ１が、被写体を撮影する撮影手段となるレンズ部１０と、ディスク２を着脱可能に形成されると共に、前記ディスク２を回転可能に形成されたディスク装着部５０と、前記レンズ部１０が設けられ、且つ、前記ディスク装着部５０を内設する本体部２０と、前記本体部２０に設けられると共に、仮想の軸となる開閉軸２３を有する開閉機構となるヒンジ２２によって開閉可能に形成されたカバー部２１と、少なくとも前記レンズ部１０での撮影に基づく情報を前記ディスク２へ記録することが可能な情報伝達手段となる光ヘッド３１と、前記光ヘッド３１を、前記ディスク２が前記ディスク装着部５０に装着された際の前記ディスク２の径方向と平行な方向で、且つ、前記カバー部２１を開閉する際の仮想の軸となる開閉軸２３に対して斜め方向に移動させる移動手段となるステッピングモータ４０、スクリューガイドシャフト４１、ガイドシャフト４２と、を具備することにより、開閉軸２３と直交する方向における光ヘッド３１の移動量を小さくすることができ、開閉軸２３と直交する方向における本体部２０の長さを短くすることができる。この結果、カムコーダ１の小型化を図ることができる。
【図面の簡単な説明】
【００３７】
【図１】実施の形態に係るカムコーダの構成概略図である。
【図２】図１に示したカムコーダの側面図である。
【図３】図１に示したカムコーダの斜視図である。
【図４】図２に示したカムコーダのカバー部を開いた状態を示す図である。
【図５】図４のＡ−Ａ断面図である。
【図６】図４の斜視図である。
【図７】図４の状態からカバー部及びケースカバーを取り除いた状態を示す図である。
【図８】ディスクを装着した状態を示す図である。
【図９】光ヘッドが内側に移動した状態を示す図である。
【図１０】図９のＢ−Ｂ断面図である。
【図１１】実施の形態に係るカムコーダの変形例を示す図である。
【図１２】実施の形態に係るカムコーダの変形例を示す図である。
【符号の説明】
【００３８】
１  カムコーダ
２  ディスク
１０  レンズ部
１１  対物レンズ
１２  レンズ筐体
１３  中心軸
２０  本体部
２１  カバー部
２２  ヒンジ
２３  開閉軸
３１  光ヘッド
３２  ピックアップ
４０  ステッピングモータ
４１  スクリューガイドシャフト
４２  ガイドシャフト
５０  ディスク装着部
５１  スピンドルモータ
５２  回転軸
５４  回転中心
５５  中央線
【図１】
2006186861.tif 000003
【図２】
2006186861.tif 000004
【図３】
2006186861.tif 000005
【図４】
2006186861.tif 000006
【図５】
2006186861.tif 000007
【図６】
2006186861.tif 000008
【図７】
2006186861.tif 000009
【図８】
2006186861.tif 000010
【図９】
2006186861.tif 000011
【図１０】
2006186861.tif 000012
【図１１】
2006186861.tif 000013
【図１２】
2006186861.tif 000014